(57)【要約】      （修正有）【課題】予定する成型サイズ要求を達成し、カップ蓋をカップ体上に緊密に被覆結合するカップ蓋を提供する。【解決手段】カップ蓋１の構造に関するものであり、該カップ蓋は円弧形状を呈する内設本体１１及び内設本体底部周囲縁に設ける被覆結合辺１２を備え、前記の内設本体表面上には最低一つの通気孔１１１を設け、カップ蓋成型時、通気孔が瞬間放出成型過程において生じる圧力によりその圧力バランスを整え、並びに、予定する成型サイズ要求を達成する故、カップ蓋は緊密にカップ体上に被覆結合され、特に、内設本体に更に肋骨体を設け、通気孔を肋骨体上に成型することにより、カップ蓋全体に美観を備えさせることができる。【選択図】図３
0003145705.tif 000002
【実用新案登録請求の範囲】
【請求項１】
カップ蓋は、円弧状を呈する内設本体及び内設本体底部周囲縁に設ける被覆結合辺を備え、
前記の内設本体表面上には最低一つの通気孔を設け、カップ蓋成型時、通気孔が瞬間放出成型過程に生じる圧力によって、予定する成型サイズ要求を達成することを特徴とするカップ蓋。
【請求項２】
前記の通気孔は規則的に内設本体表面に分布するか、不規則的に内設本体表面に分布することを特徴とする請求項１記載のカップ蓋。
【請求項３】
前記の内設本体表面上には最低一つの肋骨体を設け、通気孔は肋骨体上に設置されることを特徴とする請求項１記載のカップ蓋。
【請求項４】
前記の通気孔は規則的に肋骨体上に分布するか、不規則的に肋骨体上に分布することを特徴とする請求項３記載のカップ蓋。
【請求項５】
前記の肋骨体は円環状または放射直線状であることを特徴とする請求項３記載のカップ蓋。
【請求項６】
前記の通気孔は円点形状または十字形状であることを特徴とする請求項１記載のカップ蓋。
【考案の詳細な説明】
【技術分野】
【０００１】
本考案の「カップ蓋」は、主に、放出成型過程において生じる圧力によってバランスを整え、予定する成型サイズ要求を達成するカップ蓋に関する。
【背景技術】
【０００２】
飲料多元化の発展傾向の下、現在の飲料には、食品会社や飲料メーカーの大量生産する各種缶入り、アルミ箔入り、瓶入り等の自動化一貫作業による生産の他、多元化する屋台や店で販売されるコーヒー、シェイク紅茶、スムージー等の飲料がある。その中でも特にスムージーは、飲料カップに盛り付ける場合、カップ口から溢れさせることが多く、スムージーをカップ口から突出する円球型にすると全体に美観のあるものとなりおいしそうであるが、カップ口から突出した円球型のスムージーが潰れてしまうのを避ける為に特殊形状の蓋体を必要とする。
【０００３】
一般市場で使用されている特殊形状の蓋体は、図１及び図２に示すようなもので、蓋体８は、円弧形状を成す内設部８１及び内設部８１底部周囲縁に設置する被覆結合部８２を備え、円弧形状を成す内設部８１には、カップ口９１に突出する円球型スムージー７を納めることができ、その外型を保持し、また、被覆結合部８２は、飲料カップ９のカップ口９１箇所を被覆結合する為のものであり、スムージー７が溶けた場合であっても飲料カップ９の外へこぼれるのを防ぐ。
【考案の開示】
【考案が解決しようとする課題】
【０００４】
また、蓋体８の被覆結合部８２のサイズは、飲料カップ９のカップ口９１とほぼ同じでなくてはならず、カップ口９１上に密着結合する。しかしながら、蓋体８を成型する場合、内設部８１外型の成型及び速度要求の関係から、比較的大きな圧力が生じ、しかもエアトラップ状態を生み、よって、蓋体８の被覆結合部８２成型後、往往にして、予定サイズより若干大きくなり、よって、図２に示す通り、カップ口９１上を緊密に被覆結合することができず、スムージー７が溶けた時に、容易に飲料カップ９外に溢れ出してしまう欠点がある。
【課題を解決するための手段】
【０００５】
本考案は、予定する成型サイズ要求を達成し、カップ蓋をカップ体上に緊密に被覆結合するカップ蓋を提供する。
【０００６】
前述目的を達成する為、本考案のカップ蓋は、円弧形状を呈する内設本体及び内設本体底部周囲縁に設ける被覆結合辺を備えており、前記内設本体の表面上には最低一つの通気孔を設け、カップ蓋を成型する時、通気孔の瞬間放出成型過程において生じる圧力によって、その圧力をバランスを整え、並びに、予定する成型サイズ要求を達成する故、カップ蓋は緊密にカップ体上に被覆結合される。
【０００７】
本考案の「カップ蓋」のもう一つの目的は、内設本体上に更に、円環形状または放射直線形状を成す肋骨体を設け、通気孔を肋骨体上に成型することにより、カップ蓋全体に美観を添える点にある。
【考案の効果】
【０００８】
本考案のカップ蓋は、予定する成型サイズ要求を達成し、カップ蓋をカップ体上に緊密に被覆結合することを特徴とする。
【考案を実施するための最良の形態】
【０００９】
貴庁審査委員の方々に本考案の構造、及び全体の動作方式を御理解戴く為、図面を組み合わせて次の通り説明を行う。
【００１０】
本考案の「カップ蓋」において、カップ蓋１全体の構造は、図３及び図４に示す通りであり、円弧形状を成す内設本体１１及び内設本体１１底部周囲縁に設ける被覆結合辺１２を備える。
【００１１】
該内設本体１１表面上には、最低一つの通気孔１１１を設け、カップ蓋１の成型過程において、成型速度要求の関係から、比較的大きな圧力が生じ、しかもエアトラップ状態が発生する。よって、本考案の通気孔１１１が瞬間放出成型過程において生じる圧力によりその圧力バランスを整え、並びに、予定する成型サイズ要求を達成し、カップ蓋１の被覆結合辺１２の変形を防ぐ故、カップ蓋１は緊密にカップ体２上において被覆結合される。
【実施例１】
【００１２】
また、本考案の開示する実施例においては若干の通気孔１１１が備えられており、図３の実施例では、それらの通気孔１１１は規則的に内設本体１１表面に分布しているが、当然ながら、それらの通気孔１１１は不規則に内設本体１１表面に分布してもよい。また、通気孔１１１は、図５に示す通り円点形状であっても図６に示す通り十字形状であってもよい。
【００１３】
更に、図７に示す通り、内設本体１１表面上には更に最低一つの肋骨体１１２を備えることも可能であり、通気孔１１１は規則的に肋骨体１１２上に分布するか、不規則的に分布する。また、肋骨体１１２は図７に示す通り円環形状とするか、図８に示す通り放射直線形状を成すことも可能である。
【００１４】
本考案の「カップ蓋」は、公知のカップ蓋に実施可能な別の構造を提供するものである故、ここに法に依拠し実用新案の出願を行う。以上の実施説明及び図面に示したものは、本考案の最良実施例の一つであり、これにより本考案を制限するものではなく、よって、本考案の構造、装置、特徴等の近似もしくは同様のものは全て、本案の考案目的及び実用新案登録請求の範囲内に含まれるものとする。
【図面の簡単な説明】
【００１５】
【図１】公知のカップ蓋の立体図。
【図２】公知のカップ蓋の使用状態図。
【図３】本考案の実施例１における立体図。
【図４】本考案の実施例１における使用状態図。
【図５】本考案の実施例１における拡大図。
【図６】本考案の実施例２における拡大図。
【図７】本考案の実施例３における立体図。
【図８】本考案の実施例４における立体図。
【符号の説明】
【００１６】
１      カップ蓋
１１    内設本体
１１１  通気孔
１１２  肋骨体
１２    被覆結合辺
２      カップ体
７      スムージー
８      蓋体
８１    内設部
８２    被覆結合部
９      飲料カップ
９１    カップ口
【図１】
0003145705.tif 000003
【図２】
0003145705.tif 000004
【図３】
0003145705.tif 000005
【図４】
0003145705.tif 000006
【図５】
0003145705.tif 000007
【図６】
0003145705.tif 000008
【図７】
0003145705.tif 000009
【図８】
0003145705.tif 000010